(57)【要約】【課題】共通で使用する信号入出力端子に入力装置が接続されているのか出力装置が接続されているかを良好に自動的に判別できるようにすることを目的とする。【解決手段】マイクロホン等の外部からの信号入力機能とヘッドホン等の外部への信号出力機能とを備えると共に共通で使用する信号入出力端子１に入力装置３及び出力装置４のプラグ２を挿入接続できるようにした録音・再生装置において、この共通で使用する信号入出力端子１にこの入力装置３あるいは出力装置４のプラグ２が挿入接続されたときに、このプラグ２の信号電極２ａと接地電極２ｂとの間に直流電流を印加するようにすると共にこのプラグ２の信号電極２ａと接地電極２ｂとの間の電圧を計測して、このプラグ２の信号電極２ａと接地電極２ｂとの間の抵抗値を検出し、この検出した抵抗値によりこの共通で使用する信号入出力端子１に入力装置３が接続されているのか出力装置４が接続されているのかを判別するようにしたものである。【選択図】　　　　図１
2004056309.tif 000002
【特許請求の範囲】
【請求項１】
マイクロホン等の外部からの信号入力機能とヘッドホン等の外部への信号出力機能とを備えると共に共通で使用する信号入出力端子に入力装置及び出力装置のプラグを挿入接続できるようにした録音・再生装置において、
前記共通で使用する信号入出力端子に前記入力装置あるいは前記出力装置のプラグが挿入接続されたときに前記プラグの信号電極と接地電極との間に直流電流を印加するようにすると共に前記プラグの信号電極と接地電極との間の電圧を計測して、前記プラグの信号電極と接地電極との間の抵抗値を検出し、前記検出した抵抗値により前記共通で使用する信号入出力端子に入力装置が接続されているのか出力装置が接続されているのかを判別するようにしたことを特徴とする録音・再生装置。
【請求項２】
請求項１記載の録音・再生装置において、
前記判別の結果と録音状態あるいは再生状態の情報により、前記信号入出力端子を入力として機能させるか、出力として機能させるかを決定するようにしたことを特徴とする録音・再生装置。
【発明の詳細な説明】
【０００１】
【発明の属する技術分野】
本発明は、マイクロホン等の外部からの信号入力機能と、ヘッドホン等の外部への信号出力機能とを備えると共に共通で使用する信号入出力端子に入力装置及び出力装置のプラグを挿入接続できるようにした録音・再生装置に関する。
【０００２】
【従来の技術及び発明が解決しようとする課題】
従来、マイクロホン等の外部からの信号入力機能と、ヘッドホン等の外部への信号出力機能とを備えた録音・再生装置では、マイクロホン等の入力装置のプラグとヘッドホン等の出力装置のプラグとのプラグ形状が同じ場合でも、それぞれ機能が異なることにより、入力装置及び出力装置のプラグに対し、夫々別個に信号入力端子及び信号出力端子が備えられていた。
【０００３】
このような、信号入力端子及び信号出力端子の２個の端子を設けた録音・再生装置、特にポータブルの録音・再生装置においては、この２つの端子の設置場所に制限されて小型化が制約される不都合があった。
【０００４】
そこで、この録音・再生装置において、この信号入力端子及び信号出力端子を共通で使用する信号入出力端子を設けることが考えられており、この録音・再生装置の録音状態あるいは再生状態からみて入力機能にするか再生機能にするかを決定していた。
【０００５】
この場合、ヘッドホン等の出力装置をこの信号入出力端子に接続した状態での録音が不可能であったり、マイクロホン等の入力装置を接続した状態での再生が不可能であったりする問題があった。
【０００６】
また、この録音・再生装置において、この信号入力端子及び信号出力端子を共通で使用する信号入出力端子を設けると共にスイッチ等を設けて、人為的に、このスイッチ等を操作して、この録音・再生装置を入力機能にするのか出力機能にするかを切り換えるようにしたものがあった。
【０００７】
この場合、このスイッチ等の切り換えを忘れることがあり、この切り換えを忘れたときには、録音の機会を逸したりする不都合があり使い勝手が悪かった。
【０００８】
本発明は、斯る点に鑑み、共通で使用する信号入出力端子に入力装置が接続されているのか出力装置が接続されているかを良好に自動的に判別できるようにすることを目的とする。
【０００９】
【課題を解決するための手段】
本発明録音・再生装置はマイクロホン等の外部からの信号入力機能とヘッドホン等の外部への信号出力機能とを備えると共に共通で使用する信号入出力端子に入力装置及び出力装置のプラグを挿入接続できるようにした録音・再生装置において、この共通で使用する信号入出力端子にこの入力装置あるいは出力装置のプラグが挿入接続されたときに、このプラグの信号電極と接地電極との間に直流電流を印加するようにすると共にこのプラグの信号電極と接地電極との間の電圧を計測して、このプラグの信号電極と接地電極との間の抵抗値を検出し、この検出した抵抗値によりこの共通で使用する信号入出力端子に入力装置が接続されているのか出力装置が接続されているのかを判別するようにしたものである。
【００１０】
斯る本発明によれば共通で使用する信号入出力端子に入力装置あるいは出力装置のプラグが挿入接続されたときに、このプラグの信号電極と接地電極との間の抵抗値を検出し、この抵抗値（入力装置は数１００Ωであり、出力装置は数１０Ωである。）により良好に判別できる。
【００１１】
【発明の実施の形態】
以下、図面を参照して本発明録音・再生装置の実施の形態の例につき説明する。
【００１２】
図１において、１は録音・再生装置に設けられた信号入出力端子を示し、この信号入出力端子１は、図２Ａに示す如きモノラル型のプラグ２が挿入接続される如くなされたもので、このプラグ２の信号線が接続された信号電極２ａが接続される信号端子１ａと、このプラグ２の接地線が接続された接地電極２ｂが接続される接地端子１ｂと、この接地電極２ｂが接続される検出端子１ｃとより構成されている。
【００１３】
この場合、この録音・再生装置の信号入出力端子１に接続されるマイクロホン等の入力装置３及びヘッドホン等の出力装置４の夫々のプラグとして図２Ａに示す如きモノラル型のプラグ２が使用されているものとする。
【００１４】
この図１例においては、この信号入出力端子１の信号端子１ａを切換スイッチ５可動接点５ａに接続する。この切換スイッチ５の第１の固定接点５ｂを増幅回路６を介して録音・再生装置の信号入力回路（図示せず）に接続し、この切換スイッチ５の第２の固定接点５ｃを増幅回路７を介してこの録音・再生装置の信号出力回路（図示せず）に接続し、この切換スイッチ５の第３の固定接点５ｄを電気的に浮いた状態とする。
【００１５】
この切換スイッチ５の可動接点５ａを後述するマイクロコントローラ８により切換制御する如くする。
【００１６】
この信号入出力端子１の接地端子１ｂを接地し、この信号入出力端子１の検出端子１ｃを抵抗器９及び１０の直列回路を介して第１の電源端子Ｖｃｃに接続する。この信号入出力端子１にプラグ２が挿入接続されたきにはこの検出端子１ｃは接地されるので、この抵抗器９及び１０の接続中点にプラグ２の挿入接続を検出する所定の挿入検出信号（所定電圧）が得られ、本例では、この挿入検出信号を判別回路１１に供給し、この判別回路１１より、この信号入出力端子１にプラグ２が挿入接続されたことをマイクロコントローラ８に入力する。
【００１７】
また、第２の電源端子＋Ｂをマイクロコントローラ８によりオン・オフが制御される接続スイッチ１２及び抵抗器１３を介して、信号入出力端子１の信号端子１ａに接続する。この場合この信号入出力端子１にマイクロホン等の入力装置３のプラグ２が挿入接続されたときは、この信号端子１ａにこのプラグ２の信号電極２ａ及び接地電極２ｂ間の抵抗値Ｒ１例えば数１００Ωに応じた第１の電圧Ｖ１が得られ、この信号入出力端子１にヘッドホン等の出力装置４のプラグ２が挿入接続されたときは、この信号端子１ａにこのプラグ２の信号電極２ａ及び接地電極２ｂ間の抵抗値Ｒ２例えば数１０Ωに応じた第２の電圧Ｖ２が得られる。
【００１８】
この信号端子１ａに得られる電圧を電圧比較回路１４の一方の入力端子に供給する。また接続スイッチ１２及び抵抗器１３の接続点を分圧用の抵抗器１５及び１６の直列回路を介して接地する。この場合、この抵抗器１５及び１６の接続中点に第１の電圧Ｖ１と第２の電圧Ｖ２との中間の基準電圧ＶＲを得る如くする。
Ｖ１＞ＶＲ＞Ｖ２
【００１９】
この抵抗器１５及び１６の接続中点に得られる基準電圧ＶＲを電圧比較回路１４の他方の入力端子に供給する如くする。この電圧比較回路１４の出力信号を判別回路１１に供給し、この判別回路１１にて信号入出力端子１に接続されているのが入力装置３であるのか出力装置４であるのかを判別し、この判別結果をマイクロコントローラ８に入力する。
【００２０】
また、第１の電源端子Ｖｃｃよりマイクロコントローラ８、判別回路１１及び電圧比較回路１４等に動作電源を供給する如くする。本例による録音・再生装置はその他は従来と同様に構成する。
【００２１】
本例は上述の如く構成されており、この図１の録音・再生装置はマイクロコントローラ８により図３に示す如きフローチャートに示す如く動作する。即ち初めにこの信号入出力端子１にプラグ２が挿入されたかどうかの挿入検出をチェックし（ステップＳ１）、このプラグ２が挿入されているかどうかを判断し（ステップＳ２）、このプラグ２が信号入出力端子１に挿入されていないときには終了し、このプラグ２が信号入出力端子１に挿入され挿入検出信号を判別回路１１に供給し、この判別回路１１よりプラグ２の挿入検出が入力されたときは、このマイクロコントローラ８は切換スイッチ５の可動接点５ａを第３の固定接点５ｄに接続し（ステップＳ３）、可動接点５ａを電気的に浮いた状態とする。
【００２２】
このとき、このマイクロコントローラ８により接続スイッチ１２をオンとし、第２の電源＋Ｂより抵抗器１３を介して、このプラグ２の信号電極２ａと接地電極２ｂとの間に直流電流を流す。
【００２３】
このときこの信号入出力端子１に挿入接続されているプラグ２が入力装置３か出力装置４かで信号電極２ａに得られる電圧が之等抵抗値に応じた第１の電圧Ｖ１か第２の電圧Ｖ２かであり、この電圧が電圧比較回路１４で基準電圧ＶＲと比較され、判別回路１１で、この電圧比較回路１４の出力信号より入力装置３であるか出力装置４であるかが判別され（ステップＳ５）、この判別結果がマイクロコントローラ８に入力される。
【００２４】
次に、この録音・再生装置が、録音モードであるのか、再生モードであるのかを判断する（ステップＳ６）。
このとき、この録音・再生装置が再生モードであるときには、マイクロコントローラ８は接続スイッチ１２をオフとし（ステップＳ７）、その後切換スイッチ５の可動接点５ａを第２の固定接点５ｃに接続し、録音・再生装置の再生信号をヘッドホン等の出力装置４に出力する如くする。この場合、信号入出力端子１に接続されているのが入力装置であるか出力装置であるか判断しないのでアクティブスピーカー・ダビング用ケーブルが入力装置と判別されても何ら不都合がない。
【００２５】
この録音・再生装置が録音モードのときは、信号入出力端子１に接続されているのは入力装置３であるのか出力装置４であるのかを判断し（ステップＳ９）、マイクロホン等の入力装置３であるときには、切換スイッチ５の可動接点５ａを第１の固定接点５ｂに接続し（ステップＳ１０）、このマイクロホン等の入力装置３よりの音声信号を録音する如くする。
【００２６】
この場合、接続スイッチ１２はオンしたままとし、この第２の電源端子＋Ｂよりの電源をマイクロホン等の入力装置３にこの信号端子１ａを介して動作電源を供給する如くする。
【００２７】
またステップＳ９で信号入出力端子１に接続されているのは出力装置４であると判断したときは、接続スイッチ１２をオフとする（ステップＳ１１）と共に切換スイッチ５の可動接点５ａを第２の固定接点５ｃに接続する。この場合、この録音・再生装置の内蔵マイクロホン等での録音時のモニタ音を出力することができる。
【００２８】
斯る本例によれば共通で使用する信号入出力端子１に入力装置３あるいは出力装置４のプラグ２が挿入接続されたときにプラグ２の信号電極２ａと接地電極２ｂとの間の抵抗値を検出し、この抵抗値により良好に自動判別できるので、入力端子及び出力端子を共通にでき、この録音・再生装置の小型化が実現できる。
【００２９】
特に昨今では記録メディアの小型化により録音・再生装置自体の小型化が大きな課題となっており、大きな配置体積を必要とする接続端子の個数を削減することは、録音・再生装置の小型化の上で大きなメリットがある。
【００３０】
また、この接続端子の個数を削減するのに、録音・再生装置の状態により入出力を切り換えたり、切換スイッチを設け、人為的に入出力を切り換えたりすることが考えられるが、録音・再生装置の状態のみで切り換えた場合、誤動作や致命的な制限事項があり、切換スイッチで切り換える場合、切り換え忘れによる録音機会を逸したりする問題があるが、本例によれば自動検出を使用するので、録音機会を逸することがなく、誤動作や致命的な制限事項もほとんど無くすことが可能になる等、使用者の不利益を軽減できる。
【００３１】
図４は図１の更に具体的例を示す。この図４につき説明するに図１に対応する部分には同一符号付しその詳細説明は省略する。
【００３２】
この図４例の信号入出力端子１はヘッドホン等の出力装置４の図２Ｂに示す如きステレオ型のプラグ２も挿入接続する如くなされたもので、このステレオ型のプラグ２の左及び右の信号線が接続された２つの信号電極２ａ及び２ｃが接続される信号端子１ａ及び１ｄと、このプラグ２の接地線が接続された接地電極２ｂが接続される接地端子１ｂと、この接地電極２ｂが接続される検出端子１ｃとより構成されている。
【００３３】
この場合、マイクロホン等の入力装置３のプラグ２は図１例同様モノラル型のプラグ２で図１例同様に信号入出力端子１に挿入接続される。
【００３４】
この信号入出力端子１の左及び右信号端子１ａ及び１ｄを夫々信号出力ラインをオン・オフするスイッチを構成する電界効果トランジスタ１７Ｌ及び１７Ｒを介して信号出力回路の左及び右増幅回路７Ｌ及び７Ｒの出力側に接続する。
【００３５】
また、この信号端子１ａを内蔵マイクロホンの出力信号及び外部入力信号を切り換える切換回路１８を介して、信号入力回路を構成するマイク増幅回路６の入力側に接続する。
【００３６】
この図４において、１９は内蔵マイクロホンを示し、この内蔵マイクロホン１９の出力信号をこの切換回路１８を介してマイク増幅回路６の入力側に供給する如くする。この切換回路１８はマイクロコントローラ８の指令に従って、マイク選択回路２０が切換制御する如くなす。
【００３７】
この信号入出力端子１の接地端子１ｂを接地し、この信号入出力端子１の検出端子１ｃを抵抗器９及び１０の直列回路を介して、第１の電源端子Ｖｃｃに接続し、この抵抗器９及び１０の接続中点に得られるプラグ２の挿入接続したときに得られる挿入検出信号を、判別回路を兼ねたマイクロコントローラ８に供給する。
【００３８】
マイクロコントローラ８の指令に従って、オーディオＩＣ２１にオーディオＩＣ電源２２が電源を供給する如くし、このオーディオＩＣ２１に電源が供給されたときに＋Ｂ電源ラインに第２の電源が得られる如くする。この＋Ｂ電源ラインをスイッチを構成する電界効果トランジスタ２３を介して、信号入出力端子１の信号端子１ａに接続する。
【００３９】
また、この信号端子１ａを電圧比較回路１４を構成する演算増幅回路の非反転入力端子＋に接続し、また抵抗器１５及び１６の接続中点に得られる基準電圧ＶＲをこの演算増幅回路の反転入力端子−に接続する。この演算増幅回路の出力側に得られる判別信号をマイクロコントローラ８に供給する如くする。
【００４０】
この電圧比較回路１４の出力側をスイッチを構成する電界効果トランジスタ２４を介して接地する。
この場合、マイクロコントローラ８の指令に従ってヘッドホン制御回路２５がヘッドホン等の出力装置４が信号入出力端子１に接続されている時に電界効果トランジスタ１７Ｌ，１７Ｒ及び２４をオンとし、電界効果トランジスタ２３をオフとし、マイクロホン等の入力装置３がこの信号入出力端子１に接続されているときに電界効果トランジスタ１７Ｌ，１７Ｒ及び２４をオフとし、電界効果トランジスタ２３をオンとする如くする。
【００４１】
また、２６は左及び右増幅回路７Ｌ及び７Ｒの夫々の出力側間に接続されたミュート回路を示し、このミュート回路２６は図示しない内蔵スピーカー使用時に外部出力をミュートする如くするもので、このミュート回路２６はマイクロコントローラ８の指令に従い、ヘッドホンミュート制御回路２７が制御する如くなす。
【００４２】
斯る図４例においては表１に示す如く動作することができる。
【００４３】
【表１】
2004056309.tif 000003
【００４４】
即ち、この録音、再生装置が録音モードであり、信号入出力端子１にプラグ２が挿入接続されており、このプラグ２が出力装置４であると判別したときには、この信号入出力端子１は出力機能となり、切換回路１８は内蔵マイクロホン１９を選択する。
【００４５】
この録音・再生装置が録音モードであり、信号入出力端子１に挿入接続されているプラグ２が入力装置３であると判別したときは、この信号入出力端子１は入力機能となり、切換回路１８は外部マイクロホンを選択する。
【００４６】
また、この録音・再生装置が録音モードで信号入出力端子１にプラグが挿入されていないときには、信号入出力端子１は使用せず、切換回路１８は内蔵マイクロホン１９を選択する。
【００４７】
この録音・再生装置が再生モードであり、信号入出力端子１に挿入接続されているプラグ２が出力装置４であると判別したときは、この信号入出力端子１は出力機能とされ、切換回路１８は不動作となり、マイクロホンは選択しない。
【００４８】
この録音・再生装置が再生モードであり、信号入出力端子１に挿入接続されているプラグ２が出力装置４であると判別したときは、この信号入出力端子１は出力機能とされ、切換回路１８は不動作となり、マイクロホンは選択されない。
【００４９】
また、この録音・再生装置が再生モードであり、信号入出力端子１にプラグが挿入されていないときには、信号入出力端子１は使用せず、切換回路１８も不動作であり、マイクロホンは選択されない。
【００５０】
斯る図４例においても図１例同様の作用効果が得られることは容易に理解できよう。
【００５１】
尚、本発明は、上述例に限ることなく、本発明の要旨を逸脱することなく、その他種々の構成が採り得ることは勿論である。
【００５２】
【発明の効果】
【００５３】
斯る本例によれば共通で使用する信号入出力端子に入力装置あるいは出力装置のプラグが挿入接続されたときにプラグの信号電極と接地電極との間の抵抗値を検出し、この抵抗値により良好に自動判別できるので、入力端子及び出力端子を共通にでき、この録音・再生装置の小型化が実現できる。
【００５４】
特に昨今では記録メディアの小型化により録音・再生装置自体の小型化が大きな課題となっており、大きな配置体積を必要とする接続端子の個数を削減することは、録音・再生装置の小型化の上で大きなメリットがある。
【００５５】
また、この接続端子の個数を削減するのに、録音・再生装置の状態により入出力を切り換えたり、切換スイッチを設け、人為的に入出力を切り換えたりすることが考えられるが、録音・再生装置の状態のみで切り換えた場合、誤動作や致命的な制限事項があり、切換スイッチで切り換える場合、切り換え忘れによる録音機会を逸したりする問題があるが、本発明によれば自動検出を使用するので、録音機会を逸することがなく、誤動作や致命的な制限事項もほとんど無くすことが可能になる等、使用者の不利益を軽減できる。
【図面の簡単な説明】
【図１】
本発明録音・再生装置の実施の形態の要部の例を示す構成図である。
【図２】
プラグの例を示す構成図である。
【図３】
本発明の説明に供するフローチャートである。
【図４】
本発明録音・再生装置の実施の形態の要部の具体的例を示す構成図である。
【符号の説明】
１‥‥信号入出力端子、１ａ‥‥信号端子、１ｂ‥‥接地端子、１ｃ‥‥検出端子、２‥‥プラグ、２ａ‥‥信号電極、２ｂ‥‥接地電極、３‥‥入力装置、４‥‥出力装置、５‥‥切換スイッチ、６，７‥‥増幅回路、８‥‥マイクロコントローラ、９，１０，１３，１５，１６‥‥抵抗器、１１‥‥判別回路、１２‥‥接続スイッチ、Ｖｃｃ，＋Ｂ‥‥電源端子
【図１】
2004056309.tif 000004
【図２】
2004056309.tif 000005
【図３】
2004056309.tif 000006
【図４】
2004056309.tif 000007